(57)【要約】【課題】隣接遊技者からの各種干渉や煙草の煙が当該遊技者に直接影響を与えることを少なくし、独立した遊技空間をかもし出すことができ、且つ、腕の疲労を緩和しながら遊技に没頭することのできる遊技用空間を提供するものである。【解決手段】複数台連続して並べられた遊技機間の支持部材に上下方向にわたって設けた縁部材及び前方へ突出した膳板並びに該遊技機間の前方位置の膳板先端部に取り付けた仕切板支持脚を各々構成し、該縁部材及び膳板並びに仕切板支持脚により仕切板を支持し固定してなることを特徴とする遊技機用間仕切り。【選択図】図１
0003167697.tif 000002
【実用新案登録請求の範囲】
【請求項１】
複数台連続して並べられた遊技機間の支持部材に上下方向にわたって設けた縁部材及び前方へ突出した膳板並びに該遊技機間の前方位置の膳板先端部に取り付けた仕切板支持脚を各々構成し、該縁部材及び膳板並びに仕切板支持脚により仕切板を支持し固定してなることを特徴とする遊技機用間仕切り。
【請求項２】
縁部材は、フランジとウェッブとよりなるＬ字形部材とし、該フランジは支持部材に取り付け、ウェッブは仕切板の背側部側を取り付けてなることを特徴とする請求項１記載の遊技機用間仕切り。
【請求項３】
縁部材と仕切板とは、縁部材を貫通した孔へ挿通した固定金具により固定してなることを特徴とする請求項２記載の遊技機用間仕切り。
【請求項４】
縁部材は、縦方向の長尺の溝とし、該溝内を仕切板が摺動自在となるように形成したことを特徴とする請求項１記載の遊技機用間仕切り。
【請求項５】
仕切板支持脚は、床面から立設した支柱とその先端側から延出した保持部材とよりなり、該保持部材により仕切板を支持してなることを特徴とする請求項１乃至４のいずれか記載の遊技機用間仕切り。
【請求項６】
保持部材は、帯状部材とし、該保持部材と仕切板とは、該保持部材を貫通した孔へ挿入した固定金具により固定してなることを特徴とする請求項１乃至３又は５のいずれか記載の遊技機用間仕切り。
【請求項７】
保持部材は、長手方向中央部に仕切板を挿入できる巾の溝を設け、該溝内を該仕切板が摺動自在としてなることを特徴とする請求項１又は４記載の遊技機用間仕切り。
【請求項８】
保持部材は、該支柱の先端側又は側面側から水平方向に延出した水平部材とし、該水平部材上に肘当て部を固定或いは可動できる状態で取着してなることを特徴とする請求項１乃至７のいずれか記載の遊技機用間仕切り。
【請求項９】
保持部材は、該支柱の先端となる膳板先端部から前方側斜め上方向に突出した斜材部材及びその先端側の水平部材からなり、該水平部材に肘当て部を固定或いは可動できる状態で取着してなることを特徴とする請求項１乃至７のいずれか記載の遊技機用間仕切り。
【請求項１０】
仕切板は、該水平部材又は肘当て部に固定してなることを特徴とする請求項８又は９記載の遊技機用間仕切り。
【請求項１１】
仕切板は、透明又は半透明の強化プラスチック板としたことを特徴とする請求項１乃至１０のいずれか記載の遊技機用間仕切り。
【考案の詳細な説明】
【技術分野】
【０００１】
本考案は、パチンコ機、パチスロ機或いはその他各種ゲーム機等が複数台並べられた遊技機において、それらを操作する各遊技者間を仕切る遊技機用間仕切りに関する。
【背景技術】
【０００２】
従来より、パチンコ機、パチスロ機或いはその他各種ゲーム機等は、当該遊技機が複数台間隔を密にして並べられた連続状態で設置されており、それら遊技機を操作する各遊技者は隣接する他の遊技者との間に何等の仕切りのない開放された空間において遊技に興じているのが一般的であった。その結果、隣接する遊技者から自分の領域となる側へ足や身体が近付いてきたり、咳や声が直接聞こえてきたりして干渉されることが多かった。
【０００３】
また、遊技機を長時間連続的に操作することにより腕や身体に疲労を感じることも多かった。
【０００４】
更に、隣接遊技者が喫煙者の場合、煙草の煙が自由に流れ込み、身体にとって有害な煙を直接吸い込むような状態で遊技に興じなければならなかったし、遊技者によっては煙の臭いも気になるところであった。
【０００５】
また、隣接遊技者の視線を強く感じ、遊技に没頭することができない落ち着かない状態での遊技となることも多かった。
【０００６】
上記足の投げ出しや身体の近付き等を防止する手段として、特許文献１のように、遊技者の背面及び側面側をシールド板により囲繞し、遊技者の動きが他の遊技者に影響を与えないように拘束するものがあった。
【０００７】
また、腕や身体の疲労を防止する手段として、特許文献２に示すように、間柱に穿設された肘掛収納部に肘掛けが収納され、必要時に当該肘掛けを回動突出させて使用する回動自在の肘掛けが知られている。
【０００８】
更に、煙草の煙は、遊技者の手元や遊技機前面に配置されている灰皿或いは遊技者の頭部位置から放出されるため、遊技場の天井面に空調設備と連結した多くの吸気口を設置したり、特許文献３のように、喫煙用灰皿の近傍に周囲の空気を吸い込む吸煙浄化装置を設けて空気を浄化排出する手段が知られている。
【０００９】
また、上記した特許文献２のように、複数台併設された遊技機間の間柱に前方へ突出するシールド板を設け、煙草の煙を上方へ誘導することも考えられている。
【先行技術文献】
【特許文献】
【００１０】
【特許文献１】特開２００７−９７６７７号公報
【特許文献２】特開２００７−１４４１２０号公報
【特許文献３】特開２００５−８７４３９号公報
【考案の概要】
【考案が解決しようとする課題】
【００１１】
各遊技機を閉鎖された空間とするべく１台の遊技機とそれを操作する遊技者とをその全体の周囲を間仕切りによって取り囲んだり、椅子の背面及び側面側を囲むことにより隣接遊技者からの干渉を防止する手段は、該遊技機の配置効率が悪く、設備が大掛かりとなって経済的でなく、且つ遊技者に圧迫感を与え、遊技施設になじむものではなかった。また、安全対策上遊技場全体を可視できることが求められ、それに対応するには透明板で取り囲む必要があり、大きなコスト増を必要とした。
【００１２】
また、上記のような遊技機から前方へ突出する回動式の肘掛け手段は、荷重による回動軸の支持負担が大きく、更に、遊技者の乱暴な使用方法により、破損し易いものであった。
【００１３】
更に、上記のように排煙のために天井面に多くの吸気口を設ける手段は、多くのダクト工事が必要で、また、ファン等の吸気装置を増設する必要があり、上記同様、コスト増となっていた。
【００１４】
更に、吸煙浄化装置の場合は、空気の浄化のためのフィルタを頻繁に取り換える必要があり、メンテナンスがたいへんであった。
【課題を解決するための手段】
【００１５】
本考案は、上記欠点を解決したもので、隣接遊技者からの各種干渉や煙草の煙が当該遊技者に直接影響を与えることを少なくし、独立した遊技空間をかもし出すことができ、且つ、腕や身体の疲労を緩和しながら遊技に没頭することのできる遊技用空間を提供するものである。
具体的な構成として、複数台連続して並べられた遊技機間の支持部材に上下方向にわたって設けた縁部材及び前方へ突出した膳板並びに該遊技機間の前方位置の膳板先端部に取り付けた仕切板支持脚を各々構成し、該縁部材及び膳板並びに仕切板支持脚により仕切板を支持し固定してなる遊技機用間仕切りを特徴とする。
【００１６】
また、上記縁部材は、フランジとウェッブとよりなるＬ字形部材とし、該フランジは支持部材に取り付け、ウェッブは仕切板の背側部側を取り付けてなる遊技機用間仕切りを特徴とする。
【００１７】
更に、上記縁部材と仕切板とは、縁部材を貫通した孔へ挿通した固定金具により固定してなる遊技機用間仕切りを特徴とする。
【００１８】
また、上記縁部材は、縦方向の長尺の溝とし、該溝内を仕切板が摺動自在となるように形成した遊技機用間仕切りを特徴とする。
【００１９】
更に、上記仕切板支持脚は、床面から立設した支柱とその先端側から延出した保持部材とよりなり、該保持部材により仕切板を支持してなる遊技機用間仕切りを特徴とする。
【００２０】
また、上記保持部材は、帯状部材とし、該保持部材と仕切板とは、該保持部材を貫通した孔へ挿入した固定金具により固定してなる遊技機用間仕切りを特徴とする。
【００２１】
更に、上記保持部材は、長手方向中央部に仕切板を挿入できる巾の溝を設け、該溝内を該仕切板が摺動自在としてなる遊技機用間仕切りを特徴とする。
【００２２】
また、上記保持部材は、該支柱の先端側又は側面側から水平方向に延出した水平部材とし、該水平部材上に肘当て部を固定或いは可動できる状態で取着してなる遊技機用間仕切りを特徴とする。
【００２３】
更に、上記保持部材は、該支柱の先端となる膳板先端部から前方側斜め上方向に突出した斜材部材及びその先端側の水平部材からなり、該水平部材に肘当て部を固定或いは可動できる状態で取着してなる遊技機用間仕切りを特徴とする。
【００２４】
また、上記仕切板は、該水平部材又は肘当て部に固定してなる遊技機用間仕切りを特徴とする。
【００２５】
更に、上記仕切板は、透明又は半透明の強化プラスチック板とした遊技機用間仕切りを特徴とする。
【考案の効果】
【００２６】
本考案の遊技機用間仕切りにより、遊技者が開放状態で遊技に興じることを可能としたまま、隣接遊技者からの足の投げ出しや身体の近付き等の干渉、咳や声による放出物の回避、煙草の煙や臭いが直接流れてくることの防止等をすることが可能となった。
【００２７】
また、仕切板支持脚を利用して肘当て部を形成することができ、腕や身体の疲労を緩和しながら遊技を楽しむことが可能となった。
【００２８】
更に、独立した遊技空間をかもし出すことができ、心理的に落ち着いた状態で遊技を楽しむことが可能となった。
【図面の簡単な説明】
【００２９】
【図１】本考案の遊技機用間仕切りの斜視図。
【図２】本考案の遊技機用間仕切りの側断面図。
【図３】仕切板と縁部材との取り付け部の平断面図。
【図４】（ａ）、（ｂ）仕切板と保持部材との取り付け部の正断面図。
【図５】本考案の遊技機用間仕切りの他の実施例の側断面図。
【図６】本考案の遊技機用間仕切りの他の実施例の側断面図。
【図７】（ａ）肘当て部の一実施例の側断面図、（ｂ）肘当て部の他の実施例の側面図、（ｃ）上記実施例の正面図。
【図８】本考案の遊技機用間仕切りの他の実施例の側断面図。
【図９】本考案の遊技機用間仕切りの他の実施例の斜視図。
【図１０】本考案の遊技機用間仕切りの他の実施例の側断面図。
【図１１】本考案の遊技機用間仕切りの他の実施例の側断面図。
【図１２】本考案の遊技機用間仕切りの他の実施例の仕切板、縁部材及び肘当て部の正断面図。
【考案を実施するための形態】
【００３０】
以下、図面に基づいて、本考案の実施例を説明する。
【実施例１】
【００３１】
図１は、本考案の遊技機用間仕切りの斜め前方から可視した斜視図、図２は、遊技機の内側を含めた遊技機用間仕切りの側断面図を示している。遊技機用間仕切り１は、複数台連続して並べられた各種遊技機２間の柱や間柱或いは枠部材等の支持部材３の上下方向にわたって設けた縁部材４、連続する該遊技機２に沿ってその前方へ突出した膳板５、該膳板５の前方となる先端部に取り付けた支柱６と保持部材７よりなる仕切板支持脚８及び仕切板９とより構成している。
【００３２】
該遊技機２は、複数台を並設して連続的に設けるが、該遊技機２間にはそれら遊技機２を固定するために柱、間柱、枠部材等の支持部材３が設けられ、それらにより各遊技機が固定されているので、該支持部材３の表面側は露出し、且つ各遊技者が座す固定されている椅子１０間の中間部の位置に露出することになる。
【００３３】
該支持部材３には、図３に示すように、Ｌ字形形状の縁部材４をそのフランジ１１側を支持部材３に当接固定し、ウェッブ１２側は、別途当接固定した他のＬ字形形状の縁部材４のウェッブ１２とにより仕切板９の奥側となる背側部側が挿入配置できる間隔寸法を有するようにその各々を該支持部材３の上下方向にわたって取り付ける。
【００３４】
上記間隔は、仕切板９の板厚或いは該仕切板９を補強する部材や衝撃を和らげる緩衝部材等を含めた板厚間隔とし、該縁部材４のウェッブ１２外側からビス等の適宜固定手段１３により挿入された仕切板９を固定する。両縁部材４を貫通して取り付けてもよいし、各々個別に取り付けてもよい。該縁部材４は、帯状に延設したものでも、上下方向にわたって所定間隔毎に断続的に設けたものでもよい。
【００３５】
仕切板９の奥側となる下部は膳板５上に載置され、その前方の下部側は保持部材７によって固定する。該保持部材７は、図４（ａ）の断面図に示す溝１４を形成した保持部材、図４（ｂ）の断面図に示すＬ字形部材を仕切板９が挿入できる間隔を有して対向配置した保持部材７等であり、各々ビス等の適宜固定手段１５により取り付け固定される。
【００３６】
仕切板支持脚８は、床１６から立設した支柱６と仕切板９を支持する保持部材７からなり、支柱６の先端部において前方側へ突出するようにして保持部材７を連続延出している。支柱６の床１６側は、ベース盤１７を介してアンカーボルト等の固定手段１８により床１６に固定し、先端側はＬ字形部材１９等により膳板５に固定する。該支柱６と保持部材７とは必要に応じてその相互をその部材の中間部で方丈部材のような斜材或いは両者の隅部においてＬ字形部材等により補強することができる。
【００３７】
仕切板９は、透明或いは半透明の平板状部材を選択することにより、遊技場が該仕切板９によって隠蔽されることがなく、従来と同様の全体が開放され、且つ安全を遠方からでも確認できる空間を得ることができる。仕切板９の材料としては、透明或いは半透明のガラス板或いは軽量で強度のある強化プラスチック板等があるが、安全性、施工性等を考慮すると、熱可塑性プラスチックのポリカーボネート（ポリカルボナート）のような軽量な材料が最適である。
【００３８】
該仕切板支持脚８が設けられる位置は、隣接する遊技機２との中間位置となるので、椅子１０及び該椅子１０を利用する遊技者の邪魔となることはない。
【実施例２】
【００３９】
例えばパチンコ機やパチスロ機のように、島を形成し、その島の両面に連続状態で遊技機を並べる場合は、当該両面に遊技機用間仕切りを設けることになる。図５は、その側断面図を示している（片側の間仕切りは省略している）。遊技機用間仕切り１ａの支持部材３ａ、縁部材４ａ、膳板５ａ、支柱６ａ、保持部材７ａ、仕切板支持脚８ａ及び仕切板９ａの各構造並びに図３、４で示した該仕切板９ａの取り付け構造及び支持脚８ａの床１６ａへの固定手段となるベース盤１７ａ、固定手段１８ａ、膳板５ａへの固定手段となるＬ字形部材１９ａ等の構成は実施例１と同様である。
【実施例３】
【００４０】
図６は、本考案の遊技機用間仕切りの他の実施例の側断面図で、上記実施例１、２同様、遊技機用間仕切り１ｂの支持部材３ｂ、縁部材４ｂ、膳板５ｂ、支柱６ｂ、保持部材７ｂ、仕切板支持脚８ｂ及び仕切板９ｂを構成しているが、該支柱６ｂは仕切板９ｂに沿う位置に隣接して立設している。該保持部材７ｂを水平部材となる補強部材とし、該保持部材７ｂ上に柔軟性のある材料で表面側を囲繞した肘当て部２０を形成している。
【００４１】
該肘当て部２０は、保持部材７ｂに直接固定してもよいが、図７（ａ）に示すように、回転体やレバー等による適宜上下動手段２１及び／又は弾発手段や柔軟部材による弾力手段２２等を介して設けることができる。該肘当て部２０の上下動手段は椅子１０ｂ側で調整できるようにする。図には示していないが、必要に応じて該肘当て部２０を前後方向（保持部材７ｂの長手方向）に移動できるようにすることもできる。
【００４２】
また、図７（ｂ）、（ｃ）に示すように、保持部材７ｂの上面平坦部に開口部、該保持部材７ｂの両側壁から下方へ延出したカバー部材２３を各々形成し、該開口部を通じ保持部材７ｂ内及びカバー部材２３内を発条体２４の弾発力により上下動する可動体２５を設けている。該可動体２５の上下位置は、該保持部材７ｂの左右側壁に設けた孔及び該可動体２５の左右側壁に設けた変形長孔２６内をその両端部が該保持部材７ｂの左右側壁から突出するようにして貫通挿入した操作杆２７によって決定される。該操作杆２７を回転及び左右方向への可動操作することにより、該変形長孔２６内の適宜位置で該操作杆２７の係合凸部と嵌着係合して固定され、可動体２５の高さ位置が定まることになる。
【００４３】
同様に、固定状態の該操作杆２７を再び回転及び左右方向へ可動させることにより、その固定状態が解除され、該操作杆２７の凹部により変形長孔２６内を可動できるようになる。上記固定と解除とを繰り返す操作により肘当て部２０´の位置を適宜高さに調整することができる。
【００４４】
上記肘当て部２０の位置は、図６に示すように、仕切板９ｂの下端位置より上方側に配置することになるので、該支柱６ｂと保持部材７ｂとの連結部に該支柱６ｂの先端側から保持部材７ｂ側へ上昇傾斜した斜材部材２８を設けている。該支柱６ｂ、保持部材７ｂ及び斜材部材２８とを一体に連結することにより強固な仕切板支持脚８ｂを得ることができ、且つ遊技者が座した時にその肘が最適な位置となるように該肘当て部２０を仕切板９ｂの下端位置より上方となる位置に設けることが可能となる。
【００４５】
保持部材７ｂと仕切板９ｂとの固定は、該保持部材７ｂの側面側と仕切板９ｂとを固定してもよいし、肘当て部２０を該仕切板９ｂへ直接固定することもできる。その場合、該肘当て部２０は固定状態となる。
【実施例４】
【００４６】
図８は、実施例２と同様、島の両面に連続して遊技機を並べた実施例を示している。その両面側に遊技機用間仕切りを設けることができるが、図８では片面側だけを示している。遊技機用間仕切り１ｃの支持部材３ｃ、縁部材４ｃ、膳板５ｃ、支柱６ｃ、保持部材７ｃ、仕切板支持脚８ｃ及び仕切板９ｃの各々の構成並びに支柱６ｃを仕切板９ｃに沿う位置に隣接して立設した点、図３で示した該仕切板９ｃの取り付け構造並びに仕切板支持脚８ｃの床１６ｃへの固定手段となるベース盤１７ｃと固定手段１８ｃ及び支柱６ｃと膳板５ｃとを固定するＬ字形部材１９ｃ等は、実施例３と同様である。
【００４７】
また、肘当て部２０ａの形成、保持部材７ｃにおける該肘当て部２０ａの取り付け構造、仕切板支持脚８ｃを構成する支柱６ｃ、支持部材７ｃ及び斜材部材２８ａの構成並びに保持部材７ｃ又は肘当て部２０ａと仕切板９ｃとの固定或いは肘当て部２０ａの上下動手段等も、上記実施例３と同様である。
【００４８】
上記実施例は、本考案の遊技機用間仕切りの一実施例を示したもので、例えば、支柱の立設位置や肘当て部が仕切板の左右のどちらか側或いは両側に位置するように対応できること、又は肘当て部の上下方向の可動係止手段の構成等、本考案は、上記具体的構成のみに限定されるものではない。
【実施例５】
【００４９】
図９、１０は、仕切板９ｄが遊技機２側へ可動する実施例を示している。この実施例の遊技機用間仕切り１ｄは、並設した遊技機間の支持部材３ｄに設けた縁部材４ｄの縦方向に仕切板９ｄを支持する保持部材が挿入できる長尺の溝２９を形成し、該溝２９に仕切板９ｄの奥側から入り込むように形成している。支柱６ｄ上及び膳板５ｄ上の保持部材７ｄの他、仕切板９ｄの上縁部に該仕切板９ｄを保持する保持部材７ｄ´を設け、該保持部材７ｄ、７ｄ´内を案内溝として該仕切板９ｄが摺動自在となるようにした実施例である。
【００５０】
保持部材７ｄ、７ｄ´の遊技機前面からの突出を短くし、該突出部を支柱６ｄで支持することにより仕切板９ｄの突出部を支持できるように形成している。該仕切板９ｄは、保持部材７ｄ、７ｄ´内を摺動することになるので上縁部及び下縁部に断面コ字型形状の補強部材３０を取着し、摺動時の磨耗防止となるようにしている。
【００５１】
遊技機側へ、少なくとも遊技機の厚さに相当する分の仕切板９ｄを入り込ませるように形成することにより不使用時或いは摺動時に該仕切板９ｄが邪魔にならないようにすることができる。また、隣接する遊技者と触れ合いながら遊技をする場合に、該仕切板９ｄを入り込ませることにより従来と同様な空間を得ることが可能となる。
【００５２】
上記仕切板９ｄの固定及びその解除には、様々な手段が考えられるが、該保持部材７ｄ、７ｄ´の内側面及び該コ字型補強部材３０の外側面に各々弾力のある凹凸を形成し、その弾力性凹凸が噛み合うことにより固定され、仕切板９ｄの板面方向への力の付与により弾力のある凹が押され摺動が可能となる。
【００５３】
また、保持部材７ｄ、７ｄ´の突出側先端部にストッパを設けることにより当該ストッパにより適宜位置で固定できるように構成することも可能である。
【実施例６】
【００５４】
図１１、１２は、仕切板９ｅが遊技機側へ可動すると同時に、支柱６ｅを該仕切板９ｅに沿う位置に隣接して立設し、該支柱６ｅの上端に肘当て部２０を設け、該支柱６ｅの側面に保持部材７ｅを取着した実施例を示している。実施例５と同様、支持部材３ｅに設けた縁部材４ｅの縦方向に仕切板９ｅを支持する保持部材が挿入できる長尺の溝２９´を形成し、該溝２９´に仕切板９ｅの奥側から入り込むようにしたもので、支柱６ｅ上には肘当て部２０を支持するための保持部材３１を突出形成している。
【００５５】
支柱６ｅ上端側側部の保持部材７ｅ及び膳板５ｅの他、仕切板９ｅの上縁部に該仕切板９ｅを保持する保持部材７ｅ´を設け、保持部材７ｅ、７ｅ´内を該仕切板９ｅが摺動自在となるようにした実施例である。
【００５６】
保持部材７ｅ、７ｅ´の遊技機前面からの突出を短くし、該突出部を支柱６ｅの上端側側面で支持することにより仕切板９ｅを安定的に支持できるように形成している。該仕切板９ｅは、保持部材７ｅ、７ｅ´内を摺動することになるので上縁部及び下縁部に断面コ字型形状の補強部材３０ａを取着し、摺動時の磨耗防止となるようにしている。
【００５７】
遊技機側へ、少なくとも遊技機の厚さに相当する分の仕切板９ｅを入り込ませるように形成することにより不使用時或いは摺動時に該仕切板９ｅが邪魔にならないようにすることができる。また、隣接する遊技者と触れ合いながら遊技をする場合に、該仕切板９ｅを入り込ませることにより従来と同様な空間を得ることが可能となる。
【００５８】
上記仕切板９ｅの固定及びその解除には、様々な手段が考えられるが、該保持部材７ｅ、７ｅ´の内側面及び該コ字型補強部材３０ａの外側面に各々弾力のある凹凸を形成し、その弾力性凹凸が噛み合うことにより固定され、仕切板９ｅの板面方向への力の付与により弾力のある凹が押され摺動が可能となる。
【００５９】
また、保持部材７ｅ、７ｅ´の突出側先端部にストッパを設けることにより当該ストッパにより適宜位置で固定できるように構成することも可能である。
【００６０】
上記実施例６の肘当て部２０は、図７（ａ）、（ｂ）、（ｃ）で示したのと同様の上下動手段を設けることができる。
【符号の説明】
【００６１】
１                          遊技機用間仕切り
２                          遊技機
３                          支持部材
４                          縁部材
５                          膳板
６                          支柱
７、３１                    保持部材
８                          仕切板支持脚
９                          仕切板
１０                        椅子
１１                        フランジ
１２                        ウェッブ
１３、１５、１８            固定手段
１４、２９                  溝
１６                        床
１７                        ベース盤
１９                        Ｌ字形部材
２０                        肘当て部
２１                        上下動手段
２２                        弾力手段
２３                        カバー部材
２４                        発条体
２５                        可動体
２６                        変形長孔
２７                        操作杆
２８                        斜材部材
３０                        補強部材
【図１】
0003167697.tif 000003
【図２】
0003167697.tif 000004
【図３】
0003167697.tif 000005
【図４】
0003167697.tif 000006
【図５】
0003167697.tif 000007
【図６】
0003167697.tif 000008
【図７】
0003167697.tif 000009
【図８】
0003167697.tif 000010
【図９】
0003167697.tif 000011
【図１０】
0003167697.tif 000012
【図１１】
0003167697.tif 000013
【図１２】
0003167697.tif 000014